(57)【要約】【課題】発音体に対する鍵の位置調整を容易にする。【解決手段】発音ユニット１０は基部１１を有し、基部１１からは、発音音高の異なる複数本の発音体であるリード１２が櫛歯状に延設されている。鍵ユニットＫＵＴは、複数の鍵Ｋの各々が押離鍵方向へ変位自在に共通基端部２０に支持されて一体となっている。連動部材２５は、対応する鍵Ｋの操作に応じて変位し、対応するリード１２を駆動して発音させる。【選択図】図１
2018072705.tif 000002
【特許請求の範囲】
【請求項１】
複数の鍵の各々が押離鍵方向へ変位自在に共通基端部に支持されて、一体となった鍵ユニットと、
前記複数の各鍵に対応して設けられ、発音可能な複数の発音体と、
前記複数の各鍵に対応して設けられ、対応する鍵の操作に応じて変位し、対応する発音体を駆動して発音させる発音体駆動部と、を有することを特徴とする鍵盤楽器。
【請求項２】
前記鍵ユニットにおいて、前記複数の鍵は各々、対応するヒンジ部を介して前記共通基端部に押離鍵方向へ揺動自在に支持され、
前記鍵ユニットは一体に形成されていることを特徴とする請求項１に記載の鍵盤楽器。
【請求項３】
前記鍵ユニットにおいて、前記複数の鍵は各々、対応するヒンジ部を介して前記共通基端部に押離鍵方向へ揺動自在に支持され、
前記鍵ユニットは、少なくとも１つの白鍵ユニットと１つの黒鍵ユニットとが積層されて成り、前記共通基端部は、前記白鍵ユニットの基端部と前記黒鍵ユニットの基端部とが積層されたものであることを特徴とする請求項１に記載の鍵盤楽器。
【請求項４】
前記発音体駆動部の各々は対応する鍵に組み付けられ、前記鍵ユニットと複数の前記発音体駆動部とがユニット化されていることを特徴とする請求項１〜３のいずれか１項に記載の鍵盤楽器。
【請求項５】
前記鍵ユニットを複数有し、
前記複数の発音体が共通の基部から延設されている発音ユニットを複数有し、
前記発音ユニットと前記鍵ユニットとが１対１に対応していることを特徴とする請求項１〜４のいずれか１項に記載の鍵盤楽器。
【発明の詳細な説明】
【技術分野】
【０００１】
本発明は、鍵に対応して設けられるリード等の発音体を発音させる鍵盤楽器に関する。
【背景技術】
【０００２】
従来、オルゴール装置のリードを鍵盤の鍵の操作によって発音させる試みがなされている（下記非特許文献１）。非特許文献１では、スターホイールをモータで回転させ、鍵操作でリードを発音させる構造を開示している。
【先行技術文献】
【非特許文献】
【０００３】
【非特許文献１】“長島研究所-オルゴールと自動楽器”、［online］、オルゴール〔平成２８年１０月３日検索〕、インターネット＜ＵＲＬ：http://www.nagashima-lab.com/?page_id=192＞
【発明の概要】
【発明が解決しようとする課題】
【０００４】
しかしながら、鍵操作でリードを弾くように構成する場合、リードとリードを駆動する駆動部と鍵との相互位置関係を正確に確保する必要がある。特に駆動部でリードを弾く位置が少しでも不適切となると良好な音が鳴らなくなる。鍵は多数あり、鍵自体やリード自体にもそれぞれに製造誤差があるため、音高ごとの位置調整作業は非常に煩雑である。従って、鍵の操作に応じて対応するリードを適切に発音させるように製作する場合、作業性の向上が重要な課題となる。
【０００５】
本発明は上記従来技術の問題を解決するためになされたものであり、その目的は、発音体に対する鍵の位置調整を容易にすることができる鍵盤楽器を提供することにある。
【課題を解決するための手段】
【０００６】
上記目的を達成するために本発明の請求項１の鍵盤楽器は、複数の鍵の各々が押離鍵方向へ変位自在に共通基端部（２０、３０）に支持されて、一体となった鍵ユニット（ＫＵＴ）と、前記複数の各鍵に対応して設けられ、発音可能な複数の発音体（１２）と、前記複数の各鍵に対応して設けられ、対応する鍵の操作に応じて変位し、対応する発音体を駆動して発音させる発音体駆動部（２５）と、を有することを特徴とする。なお、上記括弧内の符号は例示である。
【発明の効果】
【０００７】
本発明の請求項１によれば、発音体に対する鍵の位置調整を容易にすることができる。
【０００８】
請求項２、３によれば、鍵ごとの位置精度のばらつきを小さくし、調整を一層容易にすることができる。請求項４によれば、鍵と発音体駆動部との位置調整が不要となる。請求項５によれば、各々の発音体と鍵との位置調整を行いやすい。
【図面の簡単な説明】
【０００９】
【図１】第１の実施の形態に係る鍵盤楽器の要部の部分平面図（図（ａ））、側面図（図（ｂ））である。
【図２】第２の実施の形態に係る鍵盤楽器の要部の部分平面図（図（ａ））、側面図（図（ｂ））である。
【図３】第３の実施の形態に係る鍵盤楽器の要部の部分平面図（図（ａ））、側面図（図（ｂ））、黒鍵ユニット、第１の白鍵ユニット、第２の白鍵ユニットの平面図（図（ｃ）〜（ｅ））である。
【発明を実施するための形態】
【００１０】
以下、図面を参照して本発明の実施の形態を説明する。
【００１１】
（第１の実施の形態）
図１（ａ）、（ｂ）はそれぞれ、本発明の第１の実施の形態に係る鍵盤楽器の要部の部分平面図、側面図である。この鍵盤楽器は、白鍵ＷＫ及び黒鍵ＢＫを含む複数の鍵Ｋを有する。この鍵盤楽器は、鍵Ｋに対応して設けられる発音体であるリード１２を鍵Ｋの操作によって振動させて発音させるように構成される。鍵Ｋの並び方向を左右方向とし、鍵Ｋの長手方向を前後方向とする。鍵盤楽器は、複数の鍵Ｋ（例えば、１オクターブ分）が一体となった鍵ユニットＫＵＴを複数有する。図１（ａ）では鍵ユニットＫＵＴ−１、ＫＵＴ−２を図示しているが、これら以外にも鍵ユニットＫＵＴは存在してもよい。鍵ユニットＫＵＴは例えば樹脂製である。
【００１２】
鍵盤楽器は、さらに、発音ユニット１０を少なくとも１つ有する。図１では発音ユニット１０を１つ図示しているが、発音ユニット１０は複数存在してもよい。発音ユニット１０は基部１１を有し、基部１１からは、発音音高の異なる複数本のリード１２が櫛歯状に延設されている。各リード１２は音高に応じてその長さや幅が異なり、前後方向における自由端部の位置は同じになっている。発音ユニット１０は、複数の鍵Ｋに対応する構成であり、図１（ａ）では２オクターブ分を単位とした構成を例示するが、これに限定されず、例えば１オクターブ分であってもよい。基部１１は鍵盤楽器において外装等に対して固定された部分に固定される。
【００１３】
複数の鍵ユニットＫＵＴの構成は同様であるので、１つの鍵ユニットＫＵＴについて説明する。鍵ユニットＫＵＴは１つの共通基端部２０を有する。共通基端部２０は不図示のフレームに支持される。鍵ユニットＫＵＴにおける鍵Ｋの各々は、それらの後端部２１が共通基端部２０に回動軸２４で回動（揺動）自在に支持される。従って、鍵Ｋの各々は、独立して前端部が共通基端部２０に対して上下方向に揺動する。なお、各鍵Ｋは非押鍵位置に常に付勢され、非操作状態においては不図示の位置決め部によって非押鍵位置に規制されている。さらに、各鍵Ｋの押鍵方向の変位終了位置を規制するストッパ（図示せず）がフレームに設けられている。押鍵操作されると各鍵Ｋの前端部が下方に揺動し、離鍵操作されると前端部が上方に揺動して非押鍵位置へ復帰する。
【００１４】
各鍵Ｋの下方には、対応するリード１２を弾くための連動部材２５が配置される。各鍵Ｋに対応する連動部材２５の構成は共通である。各連動部材２５は、回動軸２４を中心に回動自在に配設される。回動軸２４は上記不図示のフレームに支持される。鍵Ｋからは垂下部２３が垂下形成され、垂下部２３に連動部材２５の前端部が係合しており、連動部材２５は鍵Ｋと連動して回動する。鍵Ｋが押下操作されると、対応する連動部材２５の先端が上昇し、対応するリード１２を駆動する。これによりリード１２が振動して発音する。
【００１５】
ところで、各連動部材２５は、予め対応する鍵Ｋの垂下部２３に組み付けられており、鍵ユニットＫＵＴは、連動部材２５を含んでユニット化されて、駆動部材付きユニット１００となっている。しかも、連動部材２５の先端位置は共通となり、連動部材２５のピッチはリード１２のピッチと一致するように調整されている。
【００１６】
発音ユニット１０及び鍵ユニットＫＵＴの鍵盤楽器への組み付けは次のようになされる。まず、作業者は、発音ユニット１０を、鍵盤楽器の所定の部分に固定する。次に作業者は、駆動部材付きユニット１００（連動部材２５を含んだ鍵ユニットＫＵＴ）をフレームに固定する。その際、発音ユニット１０及び鍵ユニットＫＵＴの少なくともいずれかの位置を調整可能に構成しておく。例えば、発音ユニット１０の位置が固定であるとすると、鍵ユニットＫＵＴを単位として左右及び前後方向の位置を調整する。発音ユニット１０におけるリード１２同士の相対的な位置関係が予め決められていると共に、鍵ユニットＫＵＴにおける鍵Ｋ同士及び連動部材２５同士の相対的な位置関係が予め決められているので、位置合わせは鍵ユニットＫＵＴを単位として容易に行える。
【００１７】
本実施の形態によれば、鍵ユニットＫＵＴは、複数の鍵Ｋの各々が押離鍵方向へ変位自在に共通基端部２０に支持されて一体となっているので、リード１２に対する鍵Ｋの位置調整を容易にすることができる。
【００１８】
また、発音ユニット１０と鍵ユニットＫＵＴとが１対１に対応するように構成すれば、各々のリード１２と鍵Ｋとの位置調整を一層行いやすくなる。
【００１９】
なお、連動部材２５が鍵ユニットＫＵＴに予め組み付けられていることで、鍵Ｋと連動部材２５との位置調整が不要となるが、この構成は必須ではない。連動部材２５を予め組み付けない場合は、連動部材２５とリード１２との位置を調整しながら連動部材２５の回動軸２４をフレームに軸支させた後に、連動部材２５と鍵Ｋとを組み付ける。
【００２０】
なお、鍵Ｋや連動部材２５の変位の態様として回動、実質的には揺動を例示したが、これに限定されない。例えば、鍵Ｋまたは連動部材２５のいずれかまたは双方が上下方向へ平行移動するような構成であってもよい。
【００２１】
（第２の実施の形態）
図２（ａ）、（ｂ）はそれぞれ、本発明の第２の実施の形態に係る鍵盤楽器の要部の部分平面図、側面図である。この鍵盤楽器では、鍵ユニットＫＵＴの構成が第１の実施の形態とは異なる。発音ユニット１０については、鍵ユニットＫＵＴと１対１に対応するように、１オクターブを単位とし、発音ユニット１０−１、１０−２が図示されている。その他の構成は第１の実施の形態と同様である。
【００２２】
鍵ユニットＫＵＴは１つの共通基端部３０を有する。共通基端部３０は不図示のフレームに支持される。鍵ユニットＫＵＴにおける鍵Ｋの各々は、薄肉のヒンジ部３１を有し、ヒンジ部３１が共通基端部３０に接続されている。ヒンジ部３１が弾性によって撓むことで、鍵Ｋは共通基端部３０に対して回動（揺動）自在になる。連動部材２５の構成や鍵Ｋとの係合については第１の実施の形態と同様である。鍵ユニットＫＵＴは、それぞれ複数の黒鍵ＢＫ、白鍵ＷＫ及びヒンジ部３１と、共通基端部３０とが、樹脂による一体成形により一体に形成されている。発音ユニット１０及び鍵ユニットＫＵＴの鍵盤楽器への組み付けについては第１の実施の形態と同様である。
【００２３】
本実施の形態によれば、リード１２に対する鍵Ｋの位置調整を容易にすることに関し、第１の実施の形態と同様の効果を奏することができる。また、鍵ユニットＫＵＴは成形により一体に形成されているので、鍵Ｋごとの位置精度のばらつきを小さくし、調整を一層容易にすることができる。
【００２４】
また、発音ユニット１０と鍵ユニットＫＵＴとが１対１に対応するように構成したので、各々のリード１２と鍵Ｋとの位置調整を一層行いやすくなる。なお、この効果を求めない場合は、両者を１対１に対応させることは必須でない。
【００２５】
（第３の実施の形態）
図３（ａ）、（ｂ）は、本発明の第３の実施の形態に係る鍵盤楽器の要部の部分平面図、側面図である。本実施の形態では、発音ユニット１０としては第１または第２の実施の形態と同様のものを採用でき、図３においては発音ユニット１０の図示を省略している。
【００２６】
鍵ユニットＫＵＴは、黒鍵ユニットＵＴＡ、第１の白鍵ユニットＵＴＢ、第２の白鍵ユニットＵＴＣが積層されて一体化されて成る。図３（ｃ）、（ｄ）、（ｅ）はそれぞれ、黒鍵ユニットＵＴＡ、第１の白鍵ユニットＵＴＢ、第２の白鍵ユニットＵＴＣの平面図である。各ユニットＵＴＡ、ＵＴＢ、ＵＴＣはそれぞれ、樹脂により一体成形により一体に形成される。黒鍵ユニットＵＴＡは複数（５つ）の黒鍵ＢＫに共通の基端部３０Ａを有し、各黒鍵ＢＫは薄肉のヒンジ部３１Ａを有する。基端部３０Ａに各黒鍵ＢＫのヒンジ部３１Ａが接続されている。ヒンジ部３１Ａが弾性によって撓むことで、黒鍵ＢＫは基端部３０Ａに対して回動（揺動）自在になる。
【００２７】
第１の白鍵ユニットＵＴＢは、複数（３つ）の白鍵ＷＫに共通の基端部３０Ｂを有し、各白鍵ＷＫはヒンジ部３１Ｂが弾性によって撓むことで基端部３０Ｂに対して回動（揺動）自在になる。同様に、第２の白鍵ユニットＵＴＣは複数（４つ）の白鍵ＷＫに共通の基端部３０Ｃを有し、各白鍵ＷＫはヒンジ部３１Ｃが弾性によって撓むことで基端部３０Ｃに対して回動（揺動）自在になる。基端部同士、すなわち、基端部３０Ａ、３０Ｂ、３０Ｃが積層されることで共通基端部３０となる。これにより各ユニットＵＴＡ、ＵＴＢ、ＵＴＣは一体の鍵ユニットＫＵＴとなる。連動部材２５の構成や鍵Ｋとの係合については第２の実施の形態と同様である。発音ユニット１０及び鍵ユニットＫＵＴの鍵盤楽器への組み付けについては第２の実施の形態と同様である。
【００２８】
本実施の形態によれば、リード１２に対する鍵Ｋの位置調整を容易にすることに関し、第１の実施の形態と同様の効果を奏することができる。また、基端部３０Ａ、３０Ｂ、３０Ｃが積層されたものが共通基端部３０となり、ユニットＵＴＡ、ＵＴＢ、ＵＴＣが積層されて鍵ユニットＫＵＴが一体に構成されるので、鍵Ｋごとの位置精度のばらつきを小さくし、調整を一層容易にすることに関し、第２の実施の形態と同様の効果を奏することができる。
【００２９】
なお、上記各実施の形態において、発音ユニット１０及び鍵ユニットＫＵＴの単位は１オクターブに限定されない。なお、発音体としてリードを例示したが、これに限定されるものではなく、アコースティックな発音をするもの、例えば金属製や木製等の板状発音体も発音体に含まれる。
【００３０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３１】
１０  発音ユニット、  １１  基部、  １２  リード（発音体）、  ２０、３０  共通基端部、  ２５  連動部材（発音体駆動部）、  ３０Ａ、３０Ｂ、３０Ｃ  基端部、  ３１、３１Ａ、３１Ｂ、３１Ｃ  ヒンジ部、  １００  駆動部材付きユニット、  Ｋ  鍵、  ＫＵＴ  鍵ユニット、  ＵＴＡ  黒鍵ユニット、  ＵＴＢ  第１の白鍵ユニット、  ＵＴＣ  第２の白鍵ユニット
【図１】
2018072705.tif 000003
【図２】
2018072705.tif 000004
【図３】
2018072705.tif 000005